【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  プリンタ装置から出力される電子データから第１の特徴量を抽出する第１の抽出手段と、
前記第１の抽出手段により抽出された前記第１の特徴量を登録する登録手段と、
前記登録手段が前記第１の特徴量を登録したことを示す登録情報を発行する登録情報発行手段と、
前記電子データに基づくプリントデータを生成する生成手段と、
前記生成手段が生成したプリントデータを、前記プリンタ装置を用いて印刷する印刷手段と、
前記印刷手段により印刷された印刷物であって、ユーザがサイン情報を加筆した印刷物上の画像を読み取る読取手段と、
前記登録情報発行手段により発行された前記登録情報を受け付ける受付手段と、
前記読取手段が読み取った画像から、前記電子データに基づく画像の特徴量である第２の特徴量を抽出する第２の抽出手段と、
前記読取手段が読み取った画像に含まれる、前記ユーザが加筆したサイン情報から第３の特徴量を抽出する第３の抽出手段と、
前記第２の抽出手段が抽出した前記第２の特徴量と、前記登録手段により登録された特徴量であって、前記受付手段により受け付けられた登録情報により特定される前記第１の特徴量とを比較する比較手段と、
前記比較手段による比較の結果に基づいて、前記第３の抽出手段が抽出した前記第３の特徴量を、前記第１の特徴量と対応付けて登録するよう前記登録手段を制御する制御手段と、
を備えたことを特徴とする画像処理システム。
【請求項２】  前記生成手段は、前記登録情報発行手段により発行された登録情報を含む、前記プリントデータを生成し、
前記受付手段は、前記読取手段が読み取った画像の中から、前記登録情報を認識して受け付けることを特徴とする請求項１に記載の画像処理システム。
【請求項３】  前記生成手段は、前記登録手段が登録した前記第１の特徴量を示す情報を含む、前記プリントデータを生成し、
前記第２の抽出手段は、前記読取手段が読み取った画像に含まれる、前記第１の特徴量を示す情報を抽出することにより、前記第２の特徴量を得ることを特徴とする請求項１または２に記載の画像処理システム。
【請求項４】  前記制御手段による制御に基づいて、前記登録手段が、前記第３の特徴量を、前記第１の特徴量と対応付けて登録したことを示す情報を通知する通知手段を更に備えることを特徴とする請求項１から３のいずれか１項に記載の画像処理システム。
【請求項５】  前記登録手段により前記第１の特徴量と前記第３の特徴量とが登録された後に、前記読取手段が、前記印刷手段により印刷された印刷物であって、ユーザがサイン情報を加筆した印刷物上の画像を読み取った場合には、
前記認識手段は、前記読取手段が読み取った画像から、前記登録情報を認識し、
前記第２の抽出手段は、前記読取手段が読み取った画像から、前記電子データに基づく画像の特徴量である第４の特徴量を抽出し、
前記第３の抽出手段は、前記読取手段が読み取った画像に含まれる、前記ユーザが加筆したサイン情報から第５の特徴量を抽出し、
前記比較手段は、前記第２の抽出手段が抽出した前記第４の特徴量と、前記登録手段により登録された特徴量であって、前記認識手段により認識された登録情報により特定される前記第１の特徴量とを比較するとともに、前記第３の抽出手段が抽出した前記第５の特徴量と、前記登録手段により登録された特徴量であって、前記認識手段により認識された登録情報により特定される前記第３の特徴量とを比較することを特徴とする請求項１から４のいずれか１項に記載の画像処理システム。
【請求項６】  前記比較手段による比較の結果に基づいて、前記読取手段により読み取った印刷物の内容が、前記登録手段により特徴量が登録された内容と一致することを保証する保証情報を発行する保証情報発行手段を更に備えることを特徴とする請求項５に記載の画像処理システム。
【請求項７】  前記画像処理システムは、互いに接続されたデータ処理装置及びサーバ装置を含み、
前記データ処理装置は、
前記第１の抽出手段、前記生成手段、前記印刷手段、前記読取手段、前記認識手段、前記第２の抽出手段、前記第３の抽出手段、及び、
前記第１の特徴量、前記第２の特徴量、前記第３の特徴量を前記サーバ装置に送信する送信手段を備え、
前記サーバ装置は、
前記登録手段、前記登録情報発行手段、前記比較手段、前記制御手段、及び、
前記データ処理装置から、前記第１の特徴量、前記第２の特徴量、前記第３の特徴量を受信する受信手段を備えることを特徴とする請求項１から６のいずれか１項に記載の画像処理システム。
【請求項８】  プリンタ装置から出力される電子データから第１の特徴量を抽出する第１の抽出工程と、
前記第１の抽出工程で抽出された前記第１の特徴量を登録する登録工程と、
前記登録工程で前記第１の特徴量が登録されたことを示す登録情報を発行する登録情報発行工程と、
前記電子データに基づくプリントデータを生成する生成工程と、
前記生成工程で生成されたプリントデータを、前記プリンタ装置を用いて印刷する印刷工程と、
前記印刷工程で印刷された印刷物であって、ユーザがサイン情報を加筆した印刷物上の画像を読み取る読取工程と、
前記登録情報発行工程で発行された前記登録情報を受け付ける受付工程と、
前記読取工程で読み取られた画像から、前記電子データに基づく画像の特徴量である第２の特徴量を抽出する第２の抽出工程と、
前記読取工程で読み取られた画像に含まれる、前記ユーザが加筆したサイン情報から第３の特徴量を抽出する第３の抽出工程と、
前記第２の抽出工程で抽出された前記第２の特徴量と、前記登録工程で登録された特徴量であって、前記受付工程で受け付けられた登録情報により特定される前記第１の特徴量とを比較する比較工程と、
前記比較工程における比較の結果に基づいて、前記第３の抽出工程で抽出された前記第３の特徴量を、前記第１の特徴量と対応付けて登録するよう前記登録工程を制御する制御工程と、
を備えたことを特徴とするデータ処理方法。
【請求項９】  前記生成工程は、前記登録情報発行工程で発行された登録情報を含む、前記プリントデータを生成し、
前記受付工程は、前記読取工程で読み取られた画像の中から、前記登録情報を認識して受け付けることを特徴とする請求項８に記載のデータ処理方法。
【請求項１０】  前記生成工程は、前記登録工程で登録された前記第１の特徴量を示す情報を含む、前記プリントデータを生成し、
前記第２の抽出工程は、前記読取工程で読み取られた画像に含まれる、前記第１の特徴量を示す情報を抽出することにより、前記第２の特徴量を得ることを特徴とする請求項８または９に記載のデータ処理方法。
【請求項１１】  前記制御工程における制御に基づいて、前記登録工程で、前記第３の特徴量が、前記第１の特徴量と対応付けて登録されたことを示す情報を通知する通知工程を更に備えることを特徴とする請求項８から１０のいずれか１項に記載のデータ処理方法。
【請求項１２】  前記登録工程で前記第１の特徴量と前記第３の特徴量とが登録された後に、前記読取工程において、前記印刷工程で印刷された印刷物であって、ユーザがサイン情報を加筆した印刷物上の画像が読み取られた場合には、
前記認識工程で、前記読取工程で読み取られた画像から、前記登録情報を認識し、
前記第２の抽出工程で、前記読取工程で読み取られた画像から、前記電子データに基づく画像の特徴量である第４の特徴量を抽出し、
前記第３の抽出工程で、前記読取工程で読み取られた画像に含まれる、前記ユーザが加筆したサイン情報から第５の特徴量を抽出し、
前記比較工程は、前記第２の抽出工程で抽出された前記第４の特徴量と、前記登録工程で登録された特徴量であって、前記認識工程で認識された登録情報により特定される前記第１の特徴量とを比較するとともに、前記第３の抽出工程で抽出された前記第５の特徴量と、前記登録工程で登録された特徴量であって、前記認識工程で認識された登録情報により特定される前記第３の特徴量とを比較することを特徴とする請求項８から１１のいずれか１項に記載のデータ処理方法。
【請求項１３】  前記比較工程における比較の結果に基づいて、前記読取工程で読み取られた印刷物の内容が、前記登録工程で特徴量が登録された内容と一致することを保証する保証情報を発行する保証情報発行工程を更に備えることを特徴とする請求項１２に記載のデータ処理方法。
【請求項１４】  請求項８から１３のいずれか１項に記載のデータ処理方法をコンピュータに実行させるためのプログラム。
【請求項１５】  請求項８から１３のいずれか１項に記載のデータ処理方法をコンピュータに実行させるためのプログラムを記憶したコンピュータ読み取り可能な記憶媒体。
【手続補正２】
【補正対象書類名】明細書
【補正対象項目名】０００１
【補正方法】変更
【補正の内容】
【０００１】
【発明の属する技術分野】
本発明は、画像に係るデータ処理を行う画像処理システム及びデータ処理方法及びコンピュータが読み取り可能な記憶媒体及びプログラムに関するものである。
【手続補正３】
【補正対象書類名】明細書
【補正対象項目名】００１０
【補正方法】変更
【補正の内容】
【００１０】
本発明は、上記の問題点を解決するためになされたもので、本発明の目的は、プリンタ装置から出力すべき電子データの特徴量とユーザが記入したサイン情報の特徴量とを抽出し、該抽出される各特徴量を含む原本特定情報をサーバ装置に送出して管理し、サーバ装置において該管理される管理情報と電子データとに基づき、サーバ装置から通知される登録確認の結果を通知制御することにより、原本登録情報の信頼性を確実に確認処理することができる画像処理システム及びデータ処理方法及びコンピュータが読み取り可能な記憶媒体及びプログラムを提供することである。
【手続補正４】
【補正対象書類名】明細書
【補正対象項目名】００１１
【補正方法】変更
【補正の内容】
【００１１】
【課題を解決するための手段】
本発明に係る画像処理システムは、以下の特徴的構成を備える。
【手続補正５】
【補正対象書類名】明細書
【補正対象項目名】００１２
【補正方法】変更
【補正の内容】
【００１２】
プリンタ装置から出力される電子データから第１の特徴量を抽出する第１の抽出手段と、前記第１の抽出手段により抽出された前記第１の特徴量を登録する登録手段と、前記登録手段が前記第１の特徴量を登録したことを示す登録情報を発行する登録情報発行手段と、前記電子データに基づくプリントデータを生成する生成手段と、前記生成手段が生成したプリントデータを、前記プリンタ装置を用いて印刷する印刷手段と、前記印刷手段により印刷された印刷物であって、ユーザがサイン情報を加筆した印刷物上の画像を読み取る読取手段と、前記登録情報発行手段により発行された前記登録情報を受け付ける受付手段と、前記読取手段が読み取った画像から、前記電子データに基づく画像の特徴量である第２の特徴量を抽出する第２の抽出手段と、前記読取手段が読み取った画像に含まれる、前記ユーザが加筆したサイン情報から第３の特徴量を抽出する第３の抽出手段と、前記第２の抽出手段が抽出した前記第２の特徴量と、前記登録手段により登録された特徴量であって、前記受付手段により受け付けられた登録情報により特定される前記第１の特徴量とを比較する比較手段と、前記比較手段による比較の結果に基づいて、前記第３の抽出手段が抽出した前記第３の特徴量を、前記第１の特徴量と対応付けて登録するよう前記登録手段を制御する制御手段とを備えたことを特徴とする。
【手続補正６】
【補正対象書類名】明細書
【補正対象項目名】００１３
【補正方法】変更
【補正の内容】
【００１３】
本発明に係るデータ処理方法は、以下の特徴的構成を備える。
プリンタ装置から出力される電子データから第１の特徴量を抽出する第１の抽出工程と、前記第１の抽出工程で抽出された前記第１の特徴量を登録する登録工程と、前記登録工程で前記第１の特徴量が登録されたことを示す登録情報を発行する登録情報発行工程と、前記電子データに基づくプリントデータを生成する生成工程と、前記生成工程で生成されたプリントデータを、前記プリンタ装置を用いて印刷する印刷工程と、前記印刷工程で印刷された印刷物であって、ユーザがサイン情報を加筆した印刷物上の画像を読み取る読取工程と、前記登録情報発行工程で発行された前記登録情報を受け付ける受付工程と、前記読取工程で読み取られた画像から、前記電子データに基づく画像の特徴量である第２の特徴量を抽出する第２の抽出工程と、前記読取工程で読み取られた画像に含まれる、前記ユーザが加筆したサイン情報から第３の特徴量を抽出する第３の抽出工程と、前記第２の抽出工程で抽出された前記第２の特徴量と、前記登録工程で登録された特徴量であって、前記受付工程で受け付けられた登録情報により特定される前記第１の特徴量とを比較する比較工程と、前記比較工程における比較の結果に基づいて、前記第３の抽出工程で抽出された前記第３の特徴量を、前記第１の特徴量と対応付けて登録するよう前記登録工程を制御する制御工程とを備えたことを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】０１０６
【補正方法】変更
【補正の内容】
【０１０６】
【発明の効果】
以上説明したように、本発明によれば、プリンタ装置から出力すべき電子データの特徴量とユーザが記入したサイン情報の特徴量とを抽出し、該抽出される各特徴量を含む原本特定情報をサーバ装置に送出して管理し、サーバ装置において該管理される管理情報と電子データとに基づき、サーバ装置から通知される登録確認の結果を通知制御するので、ユーザによるサイン情報を考慮しつつ原本登録情報の信頼性を確実に確認処理することができるという効果を奏する。